【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
１．５ｍｍから１７ｍｍの間の中心厚さを有するフォトクロミック光学素子を製造するための注型組成物であって、
（ｉ）アクリレート又はメタクリレートモノマー、
（ｉｉ）フォトクロミック化合物、
（ｉｉｉ）テルピノレンをベースにしたラジカル連鎖移動剤、及び
（ｉｖ）熱フリーラジカル開始剤
を含み、液体である上記注型組成物。
【請求項２】
アクリレート又はメタクリレートモノマーが、アルキレンアクリレート、アルキレンメタクリレート、ポリ（アルキレンオキシド）アクリレート、ポリ（アルキレンオキシド）メタクリレート、ウレタンアクリレート、及びウレタンメタクリレートからなる群から選択される１種又は複数のモノマーを含み、１種又は複数のモノマーが、１種又は複数のモノアクリレート、モノメタクリレート、ジアクリレート、ジメタクリレート、トリアクリレート、又はトリメタクリレートを含む、請求項１に記載の組成物。
【請求項３】
アクリレート又はメタクリレートモノマーが、デカンジオールジアクリレート、ポリエチレングリコール２００ジアクリレート、ポリエチレングリコール４００ジアクリレート、ポリエチレングリコール６００ジアクリレート、トリプロピレングリコールジアクリレート、ポリプロピレングリコール４００ジアクリレート、ポリエチレングリコール６００ジメタクリレート、ポリエチレングリコール４００ジメタクリレート、ポリプロピレングリコール４００ジメタクリレート、ポリエチレングリコール２００ジメタクリレート、ジエチレングリコールジメタクリレート、４個の末端アクリレート又はメタクリレート基を有するウレタンモノマー、６個の末端アクリレート又はメタクリレート基を有するウレタンモノマー、ラウリル（メタ）アクリレート、或いは次の化学構造を有するモノマー：
【化１】
2012520383.tif 000001
からなる群から選択される１種又は複数のモノマーを含む、及び／又は、アクリレート又はメタクリレートモノマーが、ポリエチレングリコール６００ジメタクリレート、ポリプロピレングリコール４００ジメタクリレート、ポリエチレングリコール４００ジメタクリレート、ジエチレングリコールジメタクリレート、１，１２−ドデカンジオールジメタクリレート、１，１０−デカンジオールジメタクリレート、１，９−ノナンジオールジメタクリレート、ラウリル（メタ）アクリレート、イソステアリル（メタ）アクリレート、及び１分子当たり１から１０個の間のエトキシ基を有するエトキシル化ビスフェノール−Ａジメタクリレートからなる群から選択される１種又は複数のモノマーを含む、請求項１又は２に記載の組成物。
【請求項４】
アクリレート又はメタクリレートモノマーが、４個の末端アクリレート又はメタクリレート基を有するウレタンモノマー、６個の末端アクリレート又はメタクリレート基を有するウレタンモノマー、及び次の構造のモノマー： 
【化２】
2012520383.tif 000002
（式中、Ｒ１は、水素原子又はメチル基を表す）
からなる群から選択される１種又は複数のモノマーを含むウレタンアクリレート又はウレタンメタクリレートモノマーも含む、請求項１から３のいずれか一項に記載の組成物。
【請求項５】
アクリレート又はメタクリレートモノマーが、
ポリアルキレンオキシドアクリレート又はメタクリレートモノマーから形成される比較的硬質のポリマー、
ポリアルキレンオキシドアクリレート又はメタクリレートモノマーから形成される比較的可撓性のあるポリマー、及び
ウレタンアクリレート又はメタクリレートモノマー
の組合せを含み、比較的硬質のポリマーが、ジエチレングリコールジメタクリレート又は類似のモノマーから形成される、及び／又は、比較的可撓性のあるポリマーが、１モノマー分子当たり１４個のアルキレンオキシド単位を有するモノマーから形成される、及び／又は、比較的可撓性のあるポリマーが、ポリエチレングリコール６００ジメタクリレート又は類似のモノマーから形成される、請求項１〜４のいずれか一項に記載の組成物。
【請求項６】
アクリレート又はメタクリレートモノマーが、
ポリアルキレンオキシドアクリレート又はメタクリレートモノマー、ポリプロピレングリコールアクリレート又はメタクリレートモノマー、ラウリルアクリレート又はメタクリレートモノマー、或いはイソステアリルアクリレート又はメタクリレートモノマーから形成される比較的可撓性のあるポリマー、
ビスフェノール−Ａエトキシル化ジアクリレート又はメタクリレートから形成される比較的硬質のポリマー、及び
ウレタンアクリレート又はメタクリレートモノマー
の組合せを含み、
比較的可撓性のあるポリマーが、１モノマー分子当たり９個のアルキレンオキシド単位を有するモノマーから形成され、及び／又は、比較的可撓性のあるポリマーが、ポリエチレングリコール４００ジメタクリレート又は類似のモノマー、又は、比較的可撓性のあるポリマーが、ポリプロピレングリコール４００ジメタクリレート又は類似のモノマーから形成される請求項１から４までのいずれか一項に記載の組成物。
【請求項７】
重合可能な組成物に対して式（ＩＩ）のポリエチレングリコールジ（メタ）アクリレートモノマー：
【化３】
2012520383.tif 000003
（式中、Ｒ２は、水素原子又はメチル基であり、ｂは、５〜２０からなる群から選択される整数である）
３０〜６０重量部、
ビスフェノールＡエトキシル化ジ（メタ）アクリレート３０〜６０重量部、
重合可能な組成物に対してウレタン（メタ）アクリレートモノマー０〜４０重量部、
重合可能な組成物に対してフォトクロミック化合物０．０２〜０．２重量部、
重合可能な組成物に対してテルピノレンをベースにしたラジカル連鎖移動剤０．１〜１．０重量部、及び
重合可能な組成物に対して熱フリーラジカル開始剤０．１〜１．５重量部
を含む、請求項１から６までのいずれか一項に記載の組成物。
【請求項８】
重合可能な組成物に対して式（Ｉ）のポリエチレングリコールジ（メタ）アクリレートモノマー：
【化４】
2012520383.tif 000004
（式中、Ｒ１は、水素原子又はメチル基であり、ａは、２〜４からなる群から選択される整数である）
２０〜６０重量部、
重合可能な組成物に対して式（ＩＩ）のポリエチレングリコールジ（メタ）アクリレートモノマー：
【化５】
2012520383.tif 000005
（式中、Ｒ２は、水素原子又はメチル基であり、ｂは、５〜２０からなる群から選択される整数である）１５〜６０重量部、
重合可能な組成物に対してウレタン（メタ）アクリレートモノマー０〜４０重量部、
重合可能な組成物に対してフォトクロミック化合物０．０２〜０．２重量部、
重合可能な組成物に対してテルピノレンをベースにしたラジカル連鎖移動剤０．１〜１．０重量部、及び
重合可能な組成物に対して熱フリーラジカル開始剤０．１〜１．５重量部、
を含む、請求項１から６までのいずれか一項に記載の組成物。
【請求項９】
重合可能な組成物に対して１，９−ノナンジオールジメタクリレート５〜２０重量部をさらに含むか、又は、重合可能な組成物に対してｎ−ラウリルメタクリレート５〜２０重量部をさらに含む、請求項８に記載の組成物。
【請求項１０】
重合可能な組成物に対して式（Ｉ）のポリエチレングリコールジ（メタ）アクリレートモノマー：
【化６】
2012520383.tif 000006
（式中、Ｒ１は、水素原子又はメチル基であり、ａは、２〜４からなる群から選択される整数である）３０〜５０重量部、
重合可能な組成物に対して式（ＩＩ）のポリプロピレングリコールジ（メタ）アクリレートモノマー：
【化７】
2012520383.tif 000007
（式中、Ｒ２は、水素原子又はメチル基を表し、ｍ及びｎは、合計して７までの整数である）３０〜６０重量部、
重合可能な組成物に対してウレタン（メタ）アクリレートモノマー０〜４０重量部、
重合可能な組成物に対してフォトクロミック化合物０．０２〜０．２重量部、
重合可能な組成物に対してテルピノレンをベースにしたラジカル連鎖移動剤０．１〜１．０重量部、及び
重合可能な組成物に対して熱フリーラジカル開始剤０．１〜１．５重量部、
を含む、請求項１から６までのいずれか一項に記載の組成物。
【請求項１１】
フォトクロミック化合物が、スピロ−ナフトオキサジン、スピロピラン、ナフトピラン、トリアリールメタン、スチルベン、アザスチルベン、ニトロン、フルギド、スピロピラン、スピロ−オキサジン、キノン、及びクロメンからなる群から選択される１種又は複数のフォトクロミック化合物を含む、請求項１から１０までのいずれか一項に記載の組成物。
【請求項１２】
テルピノレンをベースにしたラジカル連鎖移動剤が、テルピノレン、１−イソプロピル−４−メチル−１，４−シクロヘキサジエン、及び１−イソプロピル−４−メチル−１，３−シクロヘキサジエンからなる群から選択される１種又は複数の連鎖移動剤を含む、及び／又は、テルピノレンをベースにしたラジカル連鎖移動剤が、重合可能な組成物に、重合可能な組成物の総重量を基準にして０．０１重量％〜２重量％の量で添加される、請求項１から１１までのいずれか一項に記載の組成物。
【請求項１３】
前記連鎖移動剤が、重合可能な組成物に、重合可能な組成物の総重量を基準にして０．０１重量％〜１重量％の量で添加される、請求項１２に記載の組成物。
【請求項１４】
熱フリーラジカル開始剤が、有機パーオキシド系熱フリーラジカル開始剤又はアゾ系フリーラジカル開始剤を含む、請求項１から１３までのいずれか一項に記載の組成物。
【請求項１５】
光安定剤及び／又はＵＶ吸収剤及び／又は永続性染料を含む１種又は複数の付加的補助剤を含む、請求項１から１４までのいずれか一項に記載の組成物。
【請求項１６】
６０から８０の間のバーコル硬度を有するフォトクロミック光学素子を形成するのに適している、及び／又は、３００秒未満のフォトクロミックＴ３／４褪色時間を有するフォトクロミック光学素子を形成するのに適している、及び／又は、２５０秒未満のフォトクロミックＴ３／４褪色時間を有するフォトクロミック光学素子を形成するのに適している、及び／又は、１．５ｍｍから１７ｍｍの間の中心厚さを有する、割れのない、且つ表面欠陥のない第１及び第２のフォトクロミック光学素子を形成するのに適しており、ここで、第１の光学素子の中心厚さは、第２の光学素子の中心厚さに比べて少なくとも６ｍｍ厚い、及び／又は、１．５ｍｍから１７ｍｍの間の中心厚さを有する、割れのない、且つ表面欠陥のない第１及び第２のフォトクロミック光学素子を形成するのに適しており、ここで、第１の光学素子の中心厚さは、第２の光学素子の中心厚さに比べて少なくとも１２ｍｍ厚い、請求項１から１５までのいずれか一項に記載の組成物。
【請求項１７】
１．５ｍｍから１７ｍｍの間の中心厚さを有するフォトクロミック光学素子の製造方法であって、
１．５ｍｍから１７ｍｍの間の中心厚さを提供するための鋳型中に、請求項１から１６までのいずれか一項に記載の組成物を導入すること、及び
前記組成物を熱硬化ステップに供して、１．５ｍｍから１７ｍｍの間の中心厚さを有する固形フォトクロミック光学素子を得ること
を含む上記方法。
【請求項１８】
熱硬化ステップが、組成物の温度を約５０℃から８０℃〜１２０℃の間まで、７〜１４時間にわたって上昇させることを含む、請求項１７に記載の方法。
【請求項１９】
熱硬化ステップが、
組成物を５２℃で３時間加熱すること、
組成物を１．５時間にわたって５２℃から５３．５℃まで加熱すること、
組成物を４．５時間にわたって５３．５℃から６２．５℃まで加熱すること、
組成物を４時間にわたって６２．５℃から８０℃まで加熱すること、及び
温度を８０℃で８時間維持すること
を含む、請求項１７に記載の方法。
【請求項２０】
請求項１から１６までのいずれか一項に記載の組成物、又は請求項１７から１９までのいずれか一項に記載の方法から形成される光学素子であって、該光学素子がレンズである、光学素子。
【請求項２１】
３００秒未満のフォトクロミックＴ３／４褪色時間を有する、及び／又は、２５０秒未満のフォトクロミックＴ３／４褪色時間を有する、及び／又は、６０から８０の間のバーコル硬度を有する、及び／又は、１．５ｍｍから１７ｍｍの間の中心厚さを有する、請求項２０に記載の光学素子。